(57)【要約】【課題】  記録再生装置と複数の携帯端末が接続されているホームネットワーク環境において、意図する携帯端末に確実に映像コンテンツデータを転送できるようにすることを目的とする。【解決手段】  ユーザの操作に応じた制御信号を送信するリモートコントロール部と、該リモートコントロール部からの制御信号に応じて動作する記録再生部からなる記録再生装置において、該リモートコントロール部は携帯端末を接続する接続部を備え、携帯端末を接続し該携帯端末の機器情報を取得し、コンテンツデータの転送先を特定する。【選択図】  図１
2010041160.tif 000002
【特許請求の範囲】
【請求項１】
ユーザの操作に応じた制御コードを送信するリモートコントロール部と、
該リモートコントロール部から送信される制御コードに応じて動作する記録再生部を有する記録再生装置において、
上記記録再生部は、映像コンテンツを保存する蓄積部と、外部機器に映像コンテンツを送信する通信部を備え、
上記リモートコントロール部は、上記外部機器から該外部機器の機器情報を取得して上記記録再生部に送信し、
上記通信部は、前記リモートコントロール部から送信された上記機器情報により指定された外部機器に対し、上記映像コンテンツを送信することを特徴とする記録再生装置。
【請求項２】
上記外部機器は、携帯端末であることを特徴とする請求項１に記載の記録再生装置。
【請求項３】
上記リモートコントロール部は、上記取得した外部機器の機器情報を上記制御コードとともに上記記録再生部に送信することを特徴とする請求項１に記載の記録再生装置。
【請求項４】
上記記録再生部は、上記コンテンツを上記外部機器に送信する場合に、上記蓄積部に保存されている映像コンテンツのフォーマットを変換するデータ変換部を更に備えることを特徴とする請求項１または請求項２に記載の記録再生装置。
【請求項５】
上記リモートコントロール部は、上記外部機器が接続される接続部と、該接続部に上記外部機器が接続されたことを検知する検知部とを備え、上記検知部が上記外部機器との接続を検知した場合に、上記外部機器の機器情報の取得を開始することを特徴とする請求項１乃至４のいずれかに記載の記録再生装置。
【発明の詳細な説明】
【技術分野】
【０００１】
本発明は、映像コンテンツの記録及び／または再生を行う記録再生装置に係り、特に、携帯端末などの外部機器に対し記録された映像コンテンツを送信することが可能な記録再生装置に関する。
【背景技術】
【０００２】
ハードディスクドライブ（以下、ＨＤＤという）などの記録媒体を備えた記録再生装置は、衛星デジタル放送や地上波デジタル放送などの番組（映像コンテンツ）を高画質で記録できるようになっている。また、近年では、携帯電話や携帯プレイヤー、携帯ゲーム機などの携帯型の外部機器（以下、携帯端末という）に、上記記録再生装置に記録した映像コンテンツを転送し、屋外にて視聴することが可能となっている。
【０００３】
このとき、携帯端末は記憶容量が小さいため、長時間の映像コンテンツを視聴することが難しい。そこで従来では、例えば特許文献１に記載に記載されているように、上記記録再生装置において映像コンテンツの解像度を下げたり、ビットレートを小さくしたりすることにより、データ容量を小さくした携帯端末用の映像コンテンツデータを作成して転送することで、より多くの映像コンテンツを携帯端末に記録可能としている。
【０００４】
【特許文献１】特開２００４−３３６４６４号公報
【発明の開示】
【発明が解決しようとする課題】
【０００５】
上記特許文献１は、映像コンテンツを記録再生装置から携帯端末に送信する際、据え置きの記録再生装置に携帯端末を通信ケーブルなどで直接接続する必要がある。通常、据え置きの記録再生装置は視聴者の映像コンテンツ視聴位置から離れた位置にあり、据え置きの記録再生装置の場所に移動して携帯端末を接続する行為は、視聴者に煩わしさを感じさせる可能性がある。
【０００６】
また、近年、ホームネットワークの普及により、多くの装置がネットワークを通じて相互接続されるようになってきている。
【０００７】
上記特許文献１においては、記録再生装置と携帯端末とをＵＳＢなどの通信ケーブルにて接続し映像コンテンツデータを転送することが記載されているが、これは転送元（記録再生装置）と転送先（携帯端末）が直接接続されている場合であり、ホームネットワークなどのように複数の携帯端末が接続されている場合については考慮されていない。すなわち、複数の携帯端末がネットワークを介して記録再生装置に接続されている場合、映像コンテンツデータを転送する際に、転送元（記録再生装置）から見ると、転送先（携帯端末）が複数存在するため、ユーザが意図しない携帯端末に誤って転送してしまう可能性がある。
【０００８】
本発明は上記のような点に鑑みてなされたものであり、映像コンテンツを携帯端末などの外部機器に転送する際の使い勝手を向上させた技術を提供することを目的とする。また、本発明は、複数の携帯端末が接続されている場合においても、所望の携帯端末に確実に映像コンテンツデータを転送できるようにすることも一つの目的とする。
【課題を解決するための手段】
【０００９】
上記目的を達成するために、本発明は、ユーザの操作に応じた制御コードを送信するリモートコントロール部と、該リモートコントロール部から送信される制御コードに応じて動作する記録再生部を有する記録再生装置において、上記記録再生部は、映像コンテンツを保存する蓄積部と、外部機器に映像コンテンツを送信する通信部を備え、上記リモートコントロール部は、上記外部機器から該外部機器の機器情報を取得して上記記録再生部に送信し、上記通信部は、前記リモートコントロール部から送信された上記機器情報により指定された外部機器に対し、上記映像コンテンツを送信することを特徴とする。
【発明の効果】
【００１０】
本発明によれば、記録再生装置を走査するためのリモートコントロール部を介して外部機器の機器情報を送信するようにしているため、視聴者の視聴位置に比較的近い位置にあるリモートコントロール部を利用して記録再生装置に映像コンテンツの送信先である外部機器を特定させるようにしている。従って、視聴者は記録再生装置の近くにまで移動せずとも所望の映像コンテンツを外部機器に転送させることができ、携帯端末に映像コンテンツを蓄積する際の煩雑感を低減し、使い勝手が向上される。
【００１１】
また、記録再生部は、リモートコントロール部を介してコンテンツデータを転送する携帯端末の機器情報を取得できるため、複数の携帯端末が接続された状態においても、間違うことなく所望の携帯端末にコンテンツデータを転送することができる。
【発明を実施するための最良の形態】
【００１２】
以下、本発明に係る実施形態について、添付図面を参照して説明する。
【００１３】
図１は本実施例に係る記録再生装置が適用されるホームネットワークシステムの全体構成を示す図である。かかるネットワークシステムは、本実施形態に係る記録再生装置７がネットワークケーブルによりホームネットワーク９に接続されており、上記記録再生装置７は、記録再生部１、及びリモートコントロール部２を有している。リモートコントロール部２は、ユーザの操作に応じた制御コードを、例えば赤外線などの無線信号送信手段により記録再生部１に送信し、記録再生部１は、上記リモートコントロール部２から送信される制御コードに応じて動作するようになっている。なお、上記記録再生部１は、本実施例ではＨＤＤレコーダであるものとする。
【００１４】
記録再生部１内のチューナ（図示せず）には、アンテナ５が接続され、映像コンテンツとして例えばデジタルテレビジョン放送信号などの放送波を受信できるようになっている。表示装置１３は、例えばプラズマディスプレイテレビ、液晶テレビなどで構成されており、該表示装置１３は記録再生部１とＲＣＡケーブルなどの接続ケーブル８により接続され、記録再生部１から出力された映像／音声データを含む映像コンテンツを、接続ケーブル８を介して受信して再生表示する。
【００１５】
またネットワーク９には、記録再生装置７に対する外部機器である複数の携帯端末３及び４が、それぞれネットワークケーブル１１及び１２により接続されており、これら携帯端末３および４は、映像及び音声コンテンツなどを再生可能に構成されている。携帯端末３および４としては、例えばフラッシュメモリを搭載したシリコンオーディオ／ビデオプレイヤーや携帯型ゲーム機器、携帯電話などが挙げられる。ここで、携帯端末３及び４のうち、携帯端末３が通信ケーブル６を介してリモートコントロール部２と接続されているものとする。
【００１６】
またホームネットワーク９は、住宅内に張り巡らされたローカルエリアネットワークであり、本実施例の場合、かかるホームネットワーク９は、例えばＤＬＮＡ（Digital Living Network Alliance）に準拠するものとする。
【００１７】
上記のように、ホームネットワーク９に接続されている機器間においては、相互にデジタルコンテンツデータを転送することが可能となっている。本実施例のホームネットワーク９においては、接続されている各々の機器は、各機器に固有のＩＤ情報を含む機器情報を持っている。コンテンツデータを転送する場合は、記録再生部１は機器情報より転送先の機器を特定している。なお、機器情報のとしては、ＩＰアドレス、ＭＡＣアドレス（Media Access Control address）、またはＤＤＣ（Display data channel）におけるＥＤＩＤ（Extended Display identification data、機器の製造番号、機種番号、メーカ名に関するコードなど）のＩＤ情報などを利用することができる。本実施例では、携帯端末３及び４の機器情報については、ホームネットワーク９ではなく、接続ケーブル８を介してリモートコントロール部２に送信し、リモートコントロール部２は、これを赤外線などの無線通送信手段により記録再生部１に送信するように構成したことを特徴とするものである。この詳細については、後述するものとする。
【００１８】
尚、本実施例では記録再生部１をＨＤＤレコーダとしており、映像及び音声を表示装置１３に出力しているが、記録再生部１と表示部が一体となったＨＤＤ内蔵テレビ装置で実現しても構わない。また、記録再生部１はパーソナルコンピュータ（ＰＣ）においても実現可能である。
【００１９】
図２は記録再生部１とリモートコントロール部２からなる記録再生装置７の一構成例を示すブロック図である。
【００２０】
最初に記録再生部１を説明する。アンテナ５で受信された、例えばＭＰＥＧ２により圧縮符号化されたデジタル放送波は、チューナ部１０１に入力され、所望のチャンネルを選局し映像コンテンツを抽出する。チューナ部１０１においては、入力されたデジタル放送波を、デジタル復調した後、ＭＰＥＧストリームの映像コンテンツを抽出し、映像処理部１０２に出力する。映像処理部１０２においては、入力されたＭＰＥＧストリームの映像データに対してＭＰＥＧデコード処理を行い、出力部１０３に出力する。出力部１０３より出力された映像信号は、接続ケーブル８を介して、表示装置１３にて表示される。
【００２１】
また、映像処理部１０２にて出力された映像コンテンツを、そのままＨＤＤなどの蓄積部１０８に保存することが可能である。さらに映像処理部１０２にて出力された映像コンテンツを、データ変換部１０９において、例えば圧縮レートを低下させる等のフォーマット変換して同様に蓄積部１０８に保存することも可能である。なお、上記映像コンテンツには映像データ及び音声データが含まれているものとする。
【００２２】
通信部１０４はネットワークケーブル１０を介してホームネットワーク９と接続されており、ホームネットワーク９に接続されている外部機器との間でデータの送受信を行うことができる。
【００２３】
また、受信部１１１は上述したリモートコントロール部２から送信された制御コードを受信して制御部であるＣＰＵ１０５に送信する。ＣＰＵ１０５は、受信した制御コードに基づき上記の各種処理を実行するように構成されている。なお、上記した各種処理は、その制御プログラム等はＲＯＭ１０７に格納されており、また各種処理に必要なデータや受信部１１１で受信した携帯端末の機器情報をＲＡＭ１０６に一時的に格納しながら上記各種処理が実行される。
【００２４】
次にリモートコントロール部２を図１及び図２を参照しながら説明する。
【００２５】
本実施例に係るリモートコントロール部２は、通信ケーブル６にて携帯端末３と接続可能に構成されている。携帯端末３との接続の有無は、検知部２０４にて検出される。この接続の検出は、例えばリモートコントロール部２の電源電圧（＋５Ｖ）を携帯端末３に送信することによって得られるＨＰＤ（Hop Plug Detect）信号を利用して行うことができる。検知部２０４が携帯端末３との接続を検出した場合は、携帯端末３の機器情報の取得を開始する。この機器情報の取得の開始は、リモートコントロール部２から機器情報の取得要求のコマンドや信号を携帯端末３に送信することで行われる。この取得要求に応答して、携帯端末３はそれ自身の機器情報を、通信ケーブル６を介して接続部に送信する。接続部２０８で受信された携帯端末３の機器情報は、ＣＰＵ２０５を介してＲＡＭ２０６に伝送され、ＲＡＭ２０６に格納するようになっている。
【００２６】
記録再生部１のある所定操作（制御）を行う際には、操作ボタン群２０１の前記所定制御に対応した操作ボタンをユーザが押す（入力する）。ＲＯＭ２０７には、操作ボタン群２０１の各ボタンに対応した制御コードに置換する変換テーブルが格納されており、ＣＰＵ２０５は上記入力されたボタンに対応する制御コードを上記変換テーブルを用いて生成する。このとき、生成した制御コードにＲＡＭ２０６に格納した携帯端末３の機器情報を付加して制御情報とし、送信部２０５に出力する。送信部２０５においては、制御情報を電気的なパルス信号に変換し、内蔵する赤外線発光ダイオード（図示せず）を変調してリモートコントロール信号を記録再生部１に送信するようになっている。
【００２７】
リモートコントロール部２から送信されたリモートコントロール信号は記録再生部１の、受信部１１１にて受信される。受信されたリモートコントロール信号は、制御情報に変換され、そこから制御コードと機器情報に分離する。記録再生部１のＲＯＭ１０６には、リモートコントロール信号に含まれる制御コードを、それに対応した動作命令に変換する変換テーブルか格納されている。分離した制御コードは上記変換テーブルにて動作命令に変換され、ＣＰＵ１０５により、対応した所定処理を行う。また、分離した機器情報はＲＡＭ１０６に格納する。
【００２８】
図３はリモートコントロール部２における携帯端末３の機器情報の取得処理を示したフローチャートである。
【００２９】
ステップＳ１０１では、携帯端末３と接続されているかを検知する。これは、リモートコントロール部２の検知部２において行う。携帯端末３の接続が検知された場合にはステップＳ１０２へ進み、検知されない場合には処理を終了する。
【００３０】
ステップＳ１０２に進むと、リモートコントロール部２は携帯端末３へ機器情報を送信する要求を通知する。携帯端末３においては、機器情報の取得要求に応答して、ホームネットワーク９における携帯端末３の位置を表すＩＰアドレスやＭＡＣアドレスなどのネットワーク情報や、該携帯端末３にアクセスする時に必要な認証コード情報などの機器情報をリモートコントロール部２へ送信する。リモートコントロール部２においては、上記機器情報を受信し（ステップＳ１０３）、ステップＳ１０４にて、受信した機器情報をＲＡＭ２０６に保存する。ここで、携帯端末３の機器情報の取得処理は終了する。
【００３１】
図４はリモートコントロール部２と携帯端末３との接続が解除されたときに実行される処理を示したフローチャートである。ステップＳ２０１では検知部２０４で携帯端末３の接続が確認されるかどうかを判断し、接続されていれば現在の状態を保持し、接続が解除されていればステップＳ２０２へ進み、ＲＡＭ２０６に格納されている機器情報を消去（クリア）する。
【００３２】
以上により、リモートコントロール部２と携帯端末３が通信ケーブル６を介して接続されている状態のみにおいて、携帯端末３の機器情報がリモートコントロール部２のＲＡＭ２０６に保存されていることとなる。
【００３３】
次に、リモートコントロール部２におけるボタン操作時の処理（動作）について説明する。図５はリモートコントロール部２において操作ボタン群２０１のうちの1つが押されたときの処理を示したフローチャートである。ステップＳ３０１では押されたボタンを認識し、そのボタンに対応する制御コードをＲＯＭ２０７から読み込む。次に、ステップＳ３０２では接続されている携帯端末３から受信した機器情報をＲＡＭ２０６から読み込み、上記制御コードに付加した制御情報とする。ステップＳ３０３では機器コードが付加された制御情報を記録再生部１に送信し、押されたボタンに対応する動作を命令する。
【００３４】
このようにすることにより、記録再生部１に携帯端末３から受信した機器情報を送信することが可能となる。上記ボタンの操作は、チャンネル切換操作や音量調整操作でもよいし、また記録再生部の電源を立ち上げるための電源投入操作でもよい。また、このような従来から存在する操作ボタンとは別に、機器情報を送信するための「送信ボタン」を新たにリモートコントロール部２に設けてもよい。更にまた、検知部２０４で携帯端末３の接続を検知し、ＲＡＭ２０６に受信した機器情報が格納されたことを確認した後に、（制御コードとは別に）自動的に機器情報のみを送信するようにしてもよい。
【００３５】
記録再生部１では、受信部１１１において、送信された制御情報を受信し、制御コードと機器情報に分離し、機器情報はＲＡＭ１０６に保存する。なお、携帯端末３が接続されていない場合は、ＲＡＭ２０６には機器コードが保存されていないため、制御コードのみが記録再生部１に送信されることになる。このときは、記録再生部１のＲＡＭ１０６に保存された機器情報を消去する。
【００３６】
次に、記録再生部１の蓄積部１０８内のコンテンツデータを携帯端末３に転送する方法について説明する。なお、記録再生部１、携帯端末３は、それぞれネットワークケーブル１０、１１にてホームネットワーク９に接続され、相互にデータを授受することが出来る状態であり、かつリモートコントロール部２と携帯端末３は通信ケーブル６で接続された状態とする。
【００３７】
図６は携帯端末３に記録再生部１からコンテンツデータを転送する処理を示したフローチャートである。リモートコントロール部２から制御情報を受信した場合、ステップＳ４０１では受信したリモートコントロール部２からの制御情報に含まれる制御コードがデータ転送命令であるかを判断する。データ転送命令でなければステップＳ４１２へ進み、受信した制御コードに対応する動作を行う。データ転送命令であればステップＳ４０２へ進み、蓄積部１０８へアクセスして蓄積部１０８内に保存されている映像コンテンツのコンテンツリスト（一覧）を取得する。ただし、蓄積部１０８に映像コンテンツがない場合がある。そこでステップＳ４０３にて、蓄積部１０８に映像コンテンツの保存の有無判断を行う。映像コンテンツがない場合にはステップＳ４１３へ進み、“データ無し”と画面表示することで映像コンテンツがないことをアラートで通知する。映像コンテンツがある場合には取得したコンテンツリストを表示装置１３に出力し表示する。次にステップＳ４０４でユーザがコンテンツリストから携帯端末３に転送する映像コンテンツの選択を行う。ここでは、表示されたコンテンツリストから、リモートコントロール部２の操作ボタン群２０１の上下ボタンなどで画面上のカーソルを動かすことで、映像コンテンツを選択する。
【００３８】
次に、携帯端末３にコンテンツデータを転送することになるが、一般に携帯端末においては、携帯性を重要視するため、コンテンツデータを保存できる記憶容量は記録再生部１の蓄積部１０８に比べるとかなり小さい。そのため、そのまま映像コンテンツを携帯端末３に転送すると、携帯端末３に保存できる映像コンテンツ数が少なくなるという問題がある。そのため、ステップＳ４０５からステップＳ４０８においてデータ変換部１０９により携帯端末３用に映像コンテンツのフォーマット変換を行い、容量を小さくしている。以下、フォーマット変換方法について詳細に説明する。
【００３９】
ステップＳ４０５では変換フォーマットの一覧を含むメニュー画面を表示装置１３に表示し、ステップＳ４０６でユーザが変換フォーマットを選択する。ここでは、ステップＳ４０４と同様に、表示された変換フォーマットの一覧から、リモートコントロール部２の操作ボタン群２０１の上下ボタンなどで画面上のカーソルを動かすことで選択をする。また、変換するフォーマットとは、解像度、ビットレート、データ圧縮方式（ＭＰＥＧ２、ＭＰＥＧ４など）である。ステップＳ４０７ではステップＳ４０４で選択したコンテンツデータをデータ変換部１０９に出力し、ステップＳ４０６で選択したフォーマットへの変換処理を行う。変換処理が終了した後、ステップＳ４０８で蓄積部１０８に保存する。なお、映像コンテンツを所定容量毎に分割し、ステップＳ４０７とステップＳ４０８を繰り返すことでフォーマット変換を行ってもよい。
【００４０】
上記のフォーマット変換は、携帯端末３の表示部のフォーマットに対応して自動的に変換させるようにしてもよい。例えば、蓄積部１０８に記憶された映像コンテンツのフォーマット（解像度）が１９２０×１０８０で、接続された携帯端末３が３２０×２４０のときのフォーマット変換動作は次のようになる。まず、ＣＰＵ１０５は、選択された蓄積部１０８に記憶の映像コンテンツの解像度と、ＲＡＭ１０６に記憶された携帯端末３の機器情報に含まれるＥＤＩＤ情報から、当該携帯端末の表示部の解像度を識別する。その識別の結果、ユーザにより選択された蓄積部１０８の映像コンテンツのフォーマットが１９２０×１０８０で、携帯端末３の表示部の解像度が３２０×２４０の場合、ＣＰＵ１０５は、選択された映像コンテンツの解像度を３２０×２４０に縮小するようにデータ変換部１０９を制御する。また、携帯端末３の転送する映像コンテンツの解像度をユーザにより選択するようにしてもよい。このとき、ユーザが携帯端末３の表示部の解像度を超える解像度を選択しないように、携帯端末３の機器情報に含まれるＥＤＩＤ情報から判別された解像度を越える解像度については、選択肢に含まれないようにメニュー画面から除外するようにしてもよい。またメニュー画面において、判別された携帯端末３の表示部の解像度を超える解像度については、その表示色を他の解像度とは異ならせて表示するようにしてもよい。
【００４１】
フォーマット変換後はステップＳ４０９に進み、転送先である携帯端末３にアクセスする。このとき、ホームネットワーク９上には複数の携帯端末（３、４）が接続されている場合があり、その中から携帯端末３を特定する必要がある。そこで、予めリモートコントロール部２から受信した機器情報をＲＡＭ１０６から読み込み、これを用いて、ホームネットワーク９上の携帯端末（３、４）の中から、機器情報が一致する携帯端末３を特定する。
【００４２】
次に、ステップＳ４１０では変換後のデータ容量と携帯端末３の空き容量とを比較し、転送できるかどうかの判断を行う。ステップＳ４０９で保存された変換後の映像コンテンツデータの容量が、携帯端末３の空き容量より大きい場合には、変換後の映像コンテンツを転送することが出来ないため、ステップＳ４１４へ進み、“空き容量無し”と画面表示し、ユーザに空き容量がないことをアラートで通知する。携帯端末３の空き容量の方が大きい場合はステップＳ４１１へ進み、携帯端末３へ変換後の映像コンテンツをネットワークケーブル１０、１１及びホームネットワーク９を介して転送する。ここでも、ステップＳ４１０と同様に、記録再生部１のＲＡＭ１０６に保存されている機器情報を用いて携帯端末３の特定を行うため、誤送信することはない。
【００４３】
以上のように、本実施形態によれば、  本発明によれば、記録再生装置を走査するためのリモートコントロール部を介して外部機器の機器情報を送信するようにしているため、視聴者の視聴位置に比較的近い位置にあるリモートコントロール部を利用して記録再生装置に映像コンテンツの送信先である外部機器を特定させるようにしている。従って、視聴者は記録再生装置の近くにまで移動せずとも所望の映像コンテンツを外部機器に転送させることができ、携帯端末に映像コンテンツを蓄積する際の煩雑感を低減し、使い勝手が向上される。
【００４４】
また、携帯端末３をリモートコントロール部２に接続することで、携帯端末３の機器情報を読み取ることができ、記録再生部１が映像コンテンツを転送する場合にその情報を用いることで、複数の端末が存在しているときでも確実にユーザの意図通りの端末でデータの転送を行うことが可能となる。
【図面の簡単な説明】
【００４５】
【図１】ホームネットワークシステムの構成図である。
【図２】記録再生装置の構成を示すブロック図である。
【図３】携帯端末の機器情報の取得処理を示すフローチャートである。
【図４】携帯端末との接続が解除されたときの処理を示すフローチャートである。
【図５】リモートコントロール部２における、操作ボタンが押されたときの処理を示すフローチャートである。
【図６】携帯端末への映像コンテンツを転送する処理を示すフローチャートである。
【符号の説明】
【００４６】
１…記録再生部
２…リモートコントロール部
３…携帯端末
４…携帯端末
５…アンテナ
６…通信ケーブル
７…記録再生装置
８…接続ケーブル
９…ホームネットワーク網
１０…ネットワークケーブル
１１…ネットワークケーブル
１２…ネットワークケーブル
１３…表示装置
１０１…チューナ部
１０２…映像処理部
１０３…出力部
１０４…通信部
１０５…ＣＰＵ
１０６…ＲＡＭ
１０７…ＲＯＭ
１０８…蓄積部
１０９…データ変換部
１１１…受信部
２０１…操作ボタン群
２０２…表示部
２０３…送信部
２０４…検知部
２０５…ＣＰＵ
２０６…ＲＡＭ
２０７…ＲＯＭ
２０８…接続部
【図１】
2010041160.tif 000003
【図２】
2010041160.tif 000004
【図３】
2010041160.tif 000005
【図４】
2010041160.tif 000006
【図５】
2010041160.tif 000007
【図６】
2010041160.tif 000008